(57)【要約】【課題】修繕工事やリフォーム等に際して既設物干し金物の使用が出来ない時に、ベランダやバルコニーの手摺りに簡単に取り付け出来、また工事が済んで既設の物干し金物を使用する時は簡単に取り外し出来る物干し金物を提供する。【解決手段】複数の物干し竿支持部３を形成した物干しアーム２の基端部をアーム取付台板５に取り付け、このアーム取付台板５の背面側に、室内側板部６ａと室外側板部６ｂと室内外両板部６ａ，６ｂの上端部をつなぐ上板部６ｃとによってベランダ等の手摺り１１の頂部１２に掛嵌するように形成した金物取付部材６を取り付ける。【選択図】図１
0003149723.tif 000002
【実用新案登録請求の範囲】
【請求項１】
複数の物干し竿支持部を形成した物干しアームの基端部をアーム取付台板に取り付け、このアーム取付台板の背面側に、室内側板部と室外側板部と室内外両板部の上端部をつなぐ上板部とによってベランダ等の手摺りの頂部に掛嵌するように形成した金物取付部材を取り付けてなる物干し金物。
【請求項２】
手摺りが金属製の場合に、アーム取付台板の背面側下部に、金物使用時の物干しアームにかかる荷重によってアーム取付台板が下向きに回転しないように手摺りの内側面所要部に当接支持される支持部材を取り付けてなる請求項１に記載の物干し金物。
【請求項３】
前記支持部材の手摺り側当接部にはゴム状パッキンを装着してなる請求項２に記載の物干し金物。
【請求項４】
手摺りが金属製の場合に、金物取付部材には室外側板部の下端から外向き水平方向に取付用板部を突設し、この取付用板部に、手摺り笠木の下面側に先端部が突入係止して金物取付部材の浮き上がりを阻止するストッパーをボルト止めしてなる請求項１〜３の何れかに記載の物干し金物。
【請求項５】
取付具本体の内周面にゴム状パッキンを装着してなる請求項１〜４の何れかに記載の物干し金物。
【考案の詳細な説明】
【技術分野】
【０００１】
本考案は、ベランダやバルコニーの手摺りに対し簡単容易に取り付け・取り外し可能な物干し金物に関する。
【背景技術】
【０００２】
マンション等集合住宅のベランダやバルコニーで使用される物干し金物としては、床に立てた状態で使用されるスタンドタイプのもの、ベランダの天井から物干し支持アームを吊り下げた吊りタイプのもの、さらにコンクリート製手摺りの内側壁部に物干し金物の取付用基板をボルト止めした手摺り取付タイプのものが知られているが、マンション等の大規模修繕工事やリフォーム等に際してベランダの床、天井及び手摺りの補修工事を行う時には、いずれのタイプのものも一時的に移動したり、取り外す必要があるため、その間は洗濯物があっても物干し金物を使用することが出来ないことになる。
【考案の概要】
【考案が解決しようとする課題】
【０００３】
上記のように修繕工事やリフォーム等に際して既設物干し金物の使用が出来ない時に、ベランダやバルコニーの手摺りに簡単に取り付けでき、また工事が済んで既設の物干し金物を使用する時は簡単に取り外すことができる物干し金物を提供することを目的とする。なお、この考案に係る物干し金物は、上記のような工事期間中の一時使用に限らず、工事終了後もそのまま継続して使用することができるものである。
【課題を解決するための手段】
【０００４】
上記課題を解決するための手段を、後述する実施形態の参照番号を付して説明すると、請求項１に係る考案の物干し金物は、複数の物干し竿支持部３を形成した物干しアーム２の基端部をアーム取付台板５に取り付け、このアーム取付台板５の背面側に、室内側板部６ａと室外側板部６ｂと室内外両板部６ａ，６ｂの上端部をつなぐ上板部６ｃとによってベランダ等の手摺り１１の頂部１２に掛嵌するように形成した金物取付部材６を取り付けてなることを特徴とする。
【０００５】
請求項２は、請求項１に記載の物干し金物において、手摺りが金属製の場合に、アーム取付台板５の背面側下部に、金物使用時の物干しアーム２にかかる荷重によってアーム取付台板５が下向きに回転しないように手摺り１１の内側面所要部に当接支持される支持部材７を取り付けてなることを特徴とする。
【０００６】
請求項３は、請求項２に記載の物干し金物において、前記支持部材７の手摺り側当接部にはゴム状パッキン２２を装着してなることを特徴とする。
【０００７】
請求項４は、請求項１〜３の何れかに記載の物干し金物において、手摺りが金属製の場合に、金物取付部材６には室外側板部６ｂの下端から外向き水平方向に取付用板部６ｄを突設し、この取付用板部６ｄに、手摺り笠木１２の下面側に先端部が突入係止して金物取付部材６の浮き上がりを阻止するストッパー２４をボルト２６止めしてなることを特徴とする。
【０００８】
請求項５は、請求項１〜４の何れかに記載の物干し金物において、金物取付部材６の内周面にゴム状パッキン２３を装着してなることを特徴とする。
【考案の効果】
【０００９】
上記解決手段による考案の効果を、後述する実施形態の参照番号を付して説明すると、請求項１に係る考案によれば、金物取付部材６を手摺り１１の頂部１２に掛嵌するだけで、物干し金物１を使用状態に取り付けることができるから、マンションの大規模修繕工事やリフォーム等に際して既設物干し金物の使用が出来ない時には、ベランダの手摺り１１に簡単・容易に取り付けでき、また工事が済んで既設の物干し金物を使用する時は簡単・容易に取り外すことができ、非常に実用的で有用である。
【００１０】
請求項２に係る考案によれば、手摺りが金属製手摺りの場合に、アーム取付台板５の背面側下部には、手摺り１１の内側面所要部に当接支持される支持部材７が取り付けてあるから、金物使用時に物干しアーム２に物干し竿や洗濯物等の荷重がかかっても、アーム取付台板５が下向きに回転することがなく、金物取付部材６を手摺り笠木１２上に確実に掛嵌させた状態に保持できる。
【００１１】
請求項３に係る考案によれば、支持部材７の手摺り側当接部にゴム状パッキン２２が装着されているから、手摺り側当接部である手摺り支柱１３や手摺り子１５あるいは面板等に傷がつくようなことがない上に、支持部材７が振動等でガタつくことがなく、きわめて有効である。
【００１２】
請求項４に係る考案によれば、手摺りが金属製手摺りの場合に、金物取付部材６の取付用板部６ｄに取り付けたストッパー２４の先端部２４ａを手摺り笠木１２の下面１２ａ側に突入係止させることによって、風圧や振動等で取付具本体６に上向きの力が作用しても、金物取付部材６が手摺り笠木１２から外れることがなく、手摺り笠木１２上に確実に保持されることになる。
【００１３】
請求項５に係る考案によれば、金物取付部材６の内周面にゴム状パッキン２３が装着されているから、金物取付部材６を手摺り笠木１２に取り付けた時に手摺り笠木１２に傷がつくようなことがなく、特に物干し金物１を一時的に使用する場合で、手摺りがアルミ製の場合に有効である。
【図面の簡単な説明】
【００１４】
【図１】本考案に係る物干し金物を示す斜視図である。
【図２】同物干し金物の分解斜視図である。
【図３】同物干し金物を手摺りに取り付けた状態の側面図である。
【図４】手摺りに取り付けた状態をベランダの外側からみた物干し金物の背面図である。
【考案を実施するための形態】
【００１５】
以下に本考案の好適な実施形態について図面を参照しながら説明すると、図１は本考案に係る物干し金物を示す斜視図、図２は同物干し金物の分解斜視図であり、図３は同物干し金物を手摺りに取り付けた状態の側面図、図４は手摺りに取り付けた状態をベランダの外側からみた物干し金物の背面図である。ここに示す物干し金物１は、複数の物干し竿挿通孔３（物干し竿支持部）を形成した物干しアーム２の基端部をアーム受け部４を介してアーム取付台板５に取り付け、このアーム取付台板５の背面側に、ベランダ手摺り１１の手摺り笠木１２に掛嵌するように形成した略下向きコ字形の金物取付部材６を取り付け、アーム取付台板５の背面側下部には、金物使用時の物干しアーム２にかかる荷重によってアーム取付台板５が下向きに回転しないように手摺り１１の内側面所要部に当接支持される支持部材７を取り付けてなるものである。
【００１６】
ここに例示された手摺り１１は、アルミ等金属製の柵状手摺りで、図４に示すように、ベランダの堰壁部２８上に立設した手摺り支柱１３の上端部にわたって手摺り笠木１２を架け渡すと共に、隣り合う手摺り支柱１３間の下部側に下横枠１４を介装し、この下横枠１４と手摺り笠木１２の間に手摺り子１５を所要間隔おきに配設してなるものである。
【００１７】
上記物干し金物１の構造について詳細に説明すれば、複数の物干し竿挿通孔３を形成した物干しアーム２は、アーム２の基端部がアーム取付台板５に設けられたアーム受け部４に対し、図３に示すような水平姿勢と上向き傾斜姿勢と収納時の垂下姿勢とに夫々固定できるように取り付けられている。この実施形態では、物干しアーム２を上下方向に回動可能で所定の姿勢に固定できるようにしているが、物干しアーム２を、室内側へ水平に突出した使用位置と、手摺り接近するように回動した収納位置とにわたって水平回りに回動可能としてもよい。また実施形態の物干しアーム２には、物干し竿支持部として、物干し竿を通す孔を形成しているが、竿を上方より係合させて支持するような凹部を形成してもよい。
【００１８】
金物取付部材６は、図１及び図２から分かるように、比較的厚い鋼板をプレス加工して製作されたもので、室内側板部６ａと、室外側板部６ｂと、室内外両板部６ａ，６ｂの上端部をつなぐ上板部６ｃと、室外側板部６ａの下端から外向き水平方向に延びる取付用板部６ｄとによって、手摺り１１の手摺り笠木１２に掛嵌するように略下向きコ字形に形成されており、室内側板部６ａの外側面上部にはアーム取付台板５の上部側ボルト挿通孔１６に螺合するボルト１８が突設され、室内側板部６ａの下端側にはボルト挿通孔１９が、また取付用板部６ｄにはボルト挿通孔２０が夫々設けられている。
【００１９】
支持部材７は、図１及び図２に示すように、帯板状の鋼板からなるもので、基端部７ａにボルト挿通孔２１が設けられ、先端部７ｂには外側面にゴムパッキン２２が装着され、そして先端部７ｂ側を基端部７ａよりも僅かに突き出させて段差をもたせるように中間部７ｃが傾斜状に形成されている。また、金物取付部材６には、室内側板部６ａの内側面上部から上板部６ｃの内側面さらに室外側板部６ｂの内側面にわたってゴムパッキン２３が装着されている。
【００２０】
また金物取付部材６の取付用板部６ｄには、手摺り１１の手摺り笠木１２の下面１２ａ側に先端部２４ａが突入係止して金物取付部材６の浮き上がりを阻止する板状のストッパー２４が下面側にボルト２６止めされるようになっている。図２において、２９はボルト挿通孔である。
【００２１】
上記のような構成よりなる金物取付部材６を、物干しアーム２を備えたアーム取付台板５に取り付けて物干し金物１を組み立てるには、図２に示すような状態から金物取付部材６の室内側板部６ａ上部に突出するボルト１８をアーム取付台板５の上部側ボルト挿通孔１６に挿通し、その挿通端部に袋ナット３０を螺合して締め付ける。またボルト２５を、支持部材７の基端部７ａのボルト挿通孔２１から金物取付部材６の室内側板部６ａの下部側ボルト挿通孔１９に通し入れ、さらにアーム取付台板５の下部側ボルト挿通孔１７に挿通し、その挿通端部に袋ナット３１を螺合して締め付けることによって、金物取付部材６をアーム取付台板５の背面側に取り付け固定すると共に、支持部材７を、金物取付部材６の室内側板部６ａを介してアーム取付台板５の背面側下部に取り付け固定する。
【００２２】
こうして組み立てた物干し金物１の金物取付部材６を、手摺り笠木１２上の所要間隔離れた２箇所に掛嵌し、各物干し金物１の支持部材７の先端部７ｂを、ゴムパッキン２２を介して手摺り支柱１３の室内側側面に当接支持させ、それによりアーム取付台板５を鉛直姿勢に保持する。そして、各物干し金物１の金物取付部材６の取付用板部６ｄには下面側にストッパー２４を当てがい、そのボルト挿通孔２９からボルト２６を取付用板部６ｄのボルト挿通孔２９に通して、その挿通端部に蝶ナット２７を螺合しつつ、ストッパー２４の先端部２４ａを手摺り笠木１２の下面１２ａ側に突入係止させ、斯かる状態で蝶ナット２７を締め付けて、ストッパー２４を固定することにより、金物取付部材６の浮き上がり阻止を図り、図３に示すような状態とする。
【００２３】
上記のようにして手摺り笠木１２上の２箇所に物干し金物１を取り付け固定し、各物干し金物１の物干しアーム２を使用姿勢に固定した後、両物干しアーム２，２の物干し竿挿通孔３，３にわたって物干し竿３２（図１参照）を通すことにより、洗濯物等を干すことができる状態となる。
【００２４】
この物干し金物１においては、アーム取付台板５の背面側下部に支持部材７が取り付けてあって、この支持部材７の先端部７ｂが手摺り１１の手摺り支柱１３内側面部に当接支持されているから、金物使用時に物干しアーム２に物干し竿や洗濯物等の荷重がかかっても、アーム取付台板５は鉛直姿勢に保持されるため下向きに回転することがなく、金物取付部材６を手摺り笠木１２上に確実に掛嵌させた状態に保持できる。
【００２５】
この実施形態では、手摺りとしてアルミ等金属製の柵状手摺り１１を例示したが、コンクリート製手摺りの場合は、金物取付部材６はコンクリート製手摺りの頂部に掛嵌させればよい。またコンクリート製手摺りの場合は、支持部材７及びストッパー２４は取り付けないものとする。また金属製の手摺りの場合に、支持部材７の先端部７ｂは、手摺り支柱１３に限らず、手摺り子１５に当接させてもよく、また金属製手摺りの場合で、手摺り子の代わりに金属板等の面板が使用されている場合は、その面板に支持部材７の先端部７ｂを当接させればよい。
【００２６】
以上説明した実施形態の物干し金物１によれば、金物取付部材６を手摺り笠木１２に掛嵌し、支持部材７の先端部７ｂをゴムパッキン２２を介して手摺り支柱１３の室内側側面に当接支持させるだけで、物干し金物１を使用状態に取り付けることができるから、マンションの大規模修繕工事やリフォーム等に際して既設物干し金物の使用が出来ない時にはベランダの手摺り１１に簡単・容易に取り付けできるし、工事が済んで既設の物干し金物を使用する時には簡単・容易に取り外すことができため、非常に実用的で有用である。
【００２７】
また、この物干し金物１にはアーム取付台板５の背面側下部に、手摺り１１の内側面所要部に当接支持される支持部材７が取り付けてあるから、金物使用時に物干しアーム２に物干し竿や洗濯物等の荷重がかかっても、アーム取付台板５が下向きに回転することがなく、鉛直姿勢を維持することができて、金物取付部材６を手摺り笠木１２上に確実に掛嵌させた状態に保持できる。しかもこの場合、金物取付部材６の取付用板部６ｄに取り付けたストッパー２４の先端部２４ａを手摺り笠木１２の下面１２ａ側に突入係止させることにより、風圧や振動等で金物取付部材６に上向きの力が作用しても、金物取付部材６が手摺り笠木１２から外れることがなく、確実に保持できる。
【００２８】
また、金物取付部材６の内周面にゴム状パッキン２３が装着されているから、金物取付部材６を手摺り笠木１２に取り付けた時に手摺り笠木１２に傷がつくようなことがなく、特に物干し金物１を一時的に使用する場合で、手摺りがアルミ製の場合に有効である。
【００２９】
同様に、アーム取付台板５の背面側下部に取り付けられる支持部材７の手摺り側当接部にゴム状パッキン２２が装着されているから、手摺り支柱１３等に傷がつくようなことがない上に、支持部材７が振動等でガタつくことがなく、きわめて有効である。
【符号の説明】
【００３０】
１              物干し金物
２              物干しアーム
３              物干し竿挿通孔（物干し竿支持部）
５              アーム取付台板
６              金物取付部材
６ａ            室内側板部
６ｂ            室外側板部
６ｃ            上板部６
７              支持部材
１１            手摺り
１２            手摺り頂部（手摺り笠木）
【図１】
0003149723.tif 000003
【図２】
0003149723.tif 000004
【図３】
0003149723.tif 000005
【図４】
0003149723.tif 000006